(57)【要約】  【課題】  撮像画像に動きを加えることができる撮像装置を提供する。  【解決手段】  撮像画像を表示する表示部１４を備える撮像装置において、ＣＰＵ１０により、キャラクタ画像を、撮像画像上を移動するように合成表示する。また、ＣＰＵ１０は、キャラクタ画像の選択を操作部１８で受付け、選択を受付けた画像を撮像画像上に合成表示する。また、ＣＰＵ１０は、キャラクタ画像の移動開始位置、移動方向、移動距離、移動時間などを受付け、受付けた移動開始位置、移動方向、移動距離、移動時間に応じてキャラクタ画像を移動させる。【選択図】      図１
2006173784.tif 000002
【特許請求の範囲】
【請求項１】
撮像画像を表示する表示部と、画像を記憶する記憶部とを備える撮像装置において、
前記記憶部に記憶されている画像を、撮像画像上を移動するように合成表示する合成表示手段を備えることを特徴とする撮像装置。
【請求項２】
前記記憶部には複数の画像が記憶されており、
前記記憶部に記憶されている画像の選択を受付ける受付手段を備え、
前記合成表示手段は、前記受付手段が選択を受付けた画像を撮像画像上に合成表示するように構成してあることを特徴とする請求項１記載の撮像装置。
【請求項３】
前記画像の移動開始位置を受付ける受付手段を備え、
前記合成表示手段は、前記受付手段が受付けた移動開始位置から前記画像を移動させるように構成してあることを特徴とする請求項１記載の撮像装置。
【請求項４】
前記画像の移動方向を受付ける受付手段を備え、
前記合成表示手段は、前記受付手段が受付けた移動方向に前記画像を移動させるように構成してあることを特徴とする請求項１記載の撮像装置。
【請求項５】
前記画像の単位時間の移動距離を受付ける受付手段を備え、
前記合成表示手段は、単位時間の間に前記画像を前記受付手段が受付けた移動距離移動させるように構成してあることを特徴とする請求項１記載の撮像装置。
【請求項６】
前記画像の単位距離の移動時間を受付ける受付手段を備え、
前記合成表示手段は、前記受付手段が受付けた移動時間の間に前記画像を単位距離移動させるように構成してあることを特徴とする請求項１記載の撮像装置。
【請求項７】
前記受付手段はタッチパネルを含み、
該タッチパネルは前記表示部に設けられていることを特徴とする請求項２乃至６の何れかひとつに記載の撮像装置。
【請求項８】
前記合成表示手段は、前記画像を点滅させるように構成してあることを特徴とする請求項１乃至７の何れかひとつに記載の撮像装置。
【発明の詳細な説明】
【技術分野】
【０００１】
本発明は、撮像画像を表示する表示部を備える撮像装置に関する。
【背景技術】
【０００２】
静止画又は動画などの画像を撮像する撮像装置においては、画像を撮像する機能だけでなく、例えば画像編集機能など、種々の機能を追加することが行われている。例えば撮像した画像同士を合成する機能が追加された撮像装置がある（例えば、特許文献１参照）。
【特許文献１】特開２００４−２４２１５５号公報
【発明の開示】
【発明が解決しようとする課題】
【０００３】
このように、静止画又は動画などの画像を撮像する撮像装置においては、画像を撮像する以外の種々の付加機能が求められている。得に、撮像した画像に手を加える画像編集機能に対する要望が多い。
【０００４】
本発明は斯かる事情に鑑みてなされたものであり、記憶部に記憶されている画像（以下、移動画像という）を、撮像画像上を移動するように合成表示する合成表示手段を備えることにより、撮像画像に動きを加える画像編集を行うことができる撮像装置を提供することを目的とする。
【０００５】
また、本発明は、移動画像の選択を受付ける受付手段を備え、選択を受付けた移動画像の合成表示を行うように構成したことにより、移動画像をユーザが選択することができる撮像装置を提供することを他の目的とする。
【０００６】
また、本発明は、移動画像の移動開始位置を受付ける受付手段を備え、受付けた移動開始位置から移動画像を移動するように構成したことにより、移動画像の移動開始位置をユーザが指定することができる撮像装置を提供することを他の目的とする。
【０００７】
また、本発明は、移動画像の移動方向を受付ける受付手段を備え、受付けた移動方向に移動画像を移動させるように構成したことにより、移動画像の移動方向をユーザが指定することができる撮像装置を提供することを他の目的とする。
【０００８】
また、本発明は、移動画像の単位時間の移動距離を受付ける受付手段を備え、単位時間の間に移動画像を前記受付手段が受付けた移動距離移動させるように構成したことにより、移動画像の単位時間あたりの移動距離をユーザが指定することができる撮像装置を提供することを他の目的とする。
【０００９】
また、本発明は、移動画像の単位距離の移動時間を受付ける受付手段を備え、受付けた移動時間の間に移動画像を単位距離移動させるように構成したことにより、移動画像を単位距離移動させる時間をユーザが指定することができる撮像装置を提供することを他の目的とする。
【００１０】
また、本発明は、受付手段がタッチパネルを含み、該タッチパネルを表示部に設けることにより、移動画像の移動に関する入力を行う際のユーザの利便性を向上させた撮像装置を提供することを他の目的とする。
【００１１】
また、本発明は、移動画像を点滅させるように構成したことにより、撮像画像に動きを加えることができる撮像装置を提供することを他の目的とする。
【課題を解決するための手段】
【００１２】
本発明に係る撮像装置は、撮像画像を表示する表示部と、画像を記憶する記憶部とを備える撮像装置において、前記記憶部に記憶されている画像を、撮像画像上を移動するように合成表示する合成表示手段を備えることを特徴とする。
【００１３】
本発明に係る撮像装置は、前記記憶部には複数の画像が記憶されており、前記記憶部に記憶されている画像の選択を受付ける受付手段を備え、前記合成表示手段は、前記受付手段が選択を受付けた画像を撮像画像上に合成表示するように構成してあることを特徴とする。
【００１４】
本発明に係る撮像装置は、前記画像の移動開始位置を受付ける受付手段を備え、前記合成表示手段は、前記受付手段が受付けた移動開始位置から前記画像を移動させるように構成してあることを特徴とする。
【００１５】
本発明に係る撮像装置は、前記画像の移動方向を受付ける受付手段を備え、前記合成表示手段は、前記受付手段が受付けた移動方向に前記画像を移動させるように構成してあることを特徴とする。
【００１６】
本発明に係る撮像装置は、前記画像の単位時間の移動距離を受付ける受付手段を備え、前記合成表示手段は、単位時間の間に前記画像を前記受付手段が受付けた移動距離移動させるように構成してあることを特徴とする。
【００１７】
本発明に係る撮像装置は、前記画像の単位距離の移動時間を受付ける受付手段を備え、前記合成表示手段は、前記受付手段が受付けた移動時間の間に前記画像を単位距離移動させるように構成してあることを特徴とする。
【００１８】
本発明に係る撮像装置は、前記受付手段はタッチパネルを含み、該タッチパネルは前記表示部に設けられていることを特徴とする。
【００１９】
本発明に係る撮像装置は、前記合成表示手段は、前記画像を点滅させるように構成してあることを特徴とする。
【００２０】
本発明においては、合成表示手段により、記憶部に記憶されている画像（以下、移動画像という）を、撮像画像上を移動するように合成表示する。例えば人物の顔の画像（撮像画像）上を移動するように、涙の画像（移動画像）を合成表示することにより、前記人物が泣いているような画像編集を行うことが可能となり、撮像画像の楽しみ方の幅が広がる。
【００２１】
本発明においては、合成表示手段は、記憶部に記憶されている移動画像の選択を受付手段が受付けた場合、選択を受付けた移動画像を撮像画像上に合成表示する。ユーザは、撮像画像に合成表示する移動画像として、好みの移動画像を選択することが可能となる。選択した好みの移動画像を撮像画像上で動かす画像編集を行うことが可能になるため、撮像画像の楽しみ方の幅が広がる。
【００２２】
本発明においては、合成表示手段は、移動画像の移動開始位置を受付手段で受付けた場合、受付けた移動開始位置から移動画像を移動させる。ユーザは、移動画像の移動開始位置を、好みの位置に設定することができる。例えば撮像画像が人物の顔で、移動画像が涙の画像の場合、前記涙の移動開始位置を、前記人物の目のすぐ下あたりに設定することが可能である。設定した好みの位置から移動画像を移動させる画像編集を行うことが可能なため、撮像画像の楽しみ方の幅が広がる。
【００２３】
本発明においては、合成表示手段は、移動画像の移動方向を受付手段で受付けた場合、受付けた移動方向に移動画像を移動させる。ユーザは、移動画像の移動方向を、好みの方向に指定することができる。例えば撮像画像が人物の顔で、移動画像が涙の画像の場合、移動画像の移動方向を、下方向（目から口方向）に指定することが可能である。指定した好みの方向に移動画像を移動させる画像編集を行うことが可能になるため、撮像画像の楽しみ方の幅が広がる。
【００２４】
本発明においては、合成表示手段は、移動画像の単位時間の移動距離を受付手段が受付けた場合、単位時間の間に移動画像を前記受付手段が受付けた移動距離移動させる。ユーザは、単位時間あたりの移動画像の移動距離として、好みの距離を指定することができる。単位時間の間に、指定した好みの距離分、移動画像を移動させる画像編集を行うことが可能になるため、撮像画像の楽しみ方の幅が広がる。
【００２５】
本発明においては、合成表示手段は、移動画像の単位距離の移動時間を受付手段が受付けた場合、受付けた移動時間の間に前記移動画像を単位距離移動させる。ユーザは、移動画像を単位距離移動させる移動時間として、好みの時間を指定することができる。指定した時間の間に移動画像を単位距離移動させる画像編集を行うことが可能になるため、撮像画像の楽しみ方の幅が広がる。
【００２６】
本発明においては、受付手段はタッチパネルを含み、該タッチパネルは表示部に設けられている。例えば移動画像の移動開始位置を指定する場合、表示部に表示された撮像画像上の任意位置をタッチパネルで指定し、移動開始位置に設定することが可能となる。同様に、タッチパネルを操作して移動方向、単位時間の移動距離、単位距離の移動時間などを指定することが可能となる。撮像画像が表示されている画面上で移動画像の移動に関する入力を行えるため、ユーザの利便性が向上する。
【００２７】
本発明においては、合成表示手段は、撮像画像上で移動する移動画像を点滅させる。移動画像の点滅により、撮像画像に更に動きを加えることができ、撮像画像の楽しみ方の幅が広がる。
【発明の効果】
【００２８】
本発明によれば、撮像画像に動きを加える画像編集を行うことができ、撮像画像の楽しみ方の幅が広がる。
【００２９】
本発明によれば、撮像画像上を移動させる移動画像をユーザの好みに応じて選択することができる。
【００３０】
本発明によれば、移動画像の移動開始位置をユーザの好みに応じて指定することができる。
【００３１】
本発明によれば、移動画像の移動方向をユーザの好みに応じて指定することができる。
【００３２】
本発明によれば、単位時間あたりの移動画像の移動距離をユーザの好みに応じて指定することができる。
【００３３】
本発明によれば、移動画像を単位距離移動させる移動時間をユーザの好みに応じて指定することができる。
【００３４】
本発明によれば、移動画像の移動に関する入力を行う際のユーザの利便性が向上する。
【発明を実施するための最良の形態】
【００３５】
以下、本発明をその実施の形態を示す図面に基づいて具体的に説明する。
図１は本発明に係る撮像装置の構成例を示すブロック図である。撮像装置は、ＣＣＤ（Charge Coupled Device）などを有する撮像部１６と、静止画又は動画などの撮像画像を記憶する記憶装置２４と、ＬＣＤ（Liquid Crystal Display）などの表示部１４と、撮像部１６で撮像された撮像画像に画像処理を行って記憶装置２４に記憶又は表示部１４に出力したり、記憶装置２４から読出した撮像画像に画像処理を行って表示部１４に出力する画像処理部１２と、上述した撮像部１６、画像処理部１２、表示部１４などの撮像装置内の各構成部を制御するＣＰＵ（Central Processing Unit）１０と、ＣＰＵ１０に接続された操作部１８、ＮＡＮＤ型のフラッシュメモリ２０、及びＤＲＡＭ（Dynamic Random Access Memory）２２とを備える。
【００３６】
記憶装置２４は、例えば記憶媒体を内蔵したハードディスクドライブなどの記憶装置を用いたり、記憶媒体が取出可能な光ディスクドライブ又は磁気ディスクドライブなどの記憶装置を用いることが可能である。また、操作部１８は、操作ボタンなどの押しボタン式スイッチを用いたり、タッチパネルを用いることが可能である。タッチパネルを表示部１４に設けた場合、操作部１８及び表示部１４を一体的に構成することが可能である。
【００３７】
ＣＰＵ１０は、移動画像（以下、キャラクタ画像という）を、撮像画像上を移動するように合成表示する合成表示手段として動作する。また、フラッシュメモリ２０は、合成表示用の複数のキャラクタ画像を記憶する記憶部として動作し、操作部１８は、フラッシュメモリ２０に記憶されているキャラクタ画像の選択を受付ける受付手段として動作する。ＣＰＵ１０は、画像処理部１２を制御し、操作部１８で選択を受付けたキャラクタ画像を撮像画像上に合成表示した合成表示画像を作成してＤＲＡＭ２２に記憶する。
【００３８】
また、操作部１８は、キャラクタ画像の移動開始位置を受付ける受付手段として動作し、ＣＰＵ１０は、画像処理部１２を制御し、操作部１８が受付けた移動開始位置からキャラクタ画像を移動させる。また、操作部１８は、キャラクタ画像の移動方向を受付ける受付手段として動作し、ＣＰＵ１０は、画像処理部１２を制御し、操作部１８が受付けた移動方向にキャラクタ画像を移動させる。また、操作部１８は、キャラクタ画像の単位時間の移動距離を受付ける受付手段として動作し、ＣＰＵ１０は、画像処理部１２を制御し、単位時間の間にキャラクタ画像を前記受付けた移動距離移動させる。また、操作部１８は、キャラクタ画像の単位距離の移動時間を受付ける受付手段として動作し、ＣＰＵ１０は、画像処理部１２を制御し、前記受付けた移動時間の間にキャラクタ画像を単位距離移動させる。
【００３９】
上述した移動開始位置、移動方向、移動距離、移動時間などのパラメータは、フラッシュメモリ２０に記憶されているキャラクタ設定情報に予め設定されている複数のパラメータの中から選択することが可能である。図２はキャラクタ設定情報の例を示す図である。キャラクタ設定情報は、キャラクタ画像に固有のキャラクタＩＤ、キャラクタ名、画像データ名、移動開始位置、移動方向、移動量、移動ステップ時間などの各種パラメータを含む。ここで、前記移動量及び前記移動ステップ時間は、前記移動ステップ時間の間に前記移動量だけキャラクタ画像を移動することを意味する。
【００４０】
図３（ａ）は撮像画像の例を示す図であり、図３（ｂ）はキャラクタ画像の例を示す図である。図３（ａ）の例では撮像画像は人物画であり、顔部分が撮像されている。また、図３（ｂ）の例ではキャラクタ画像は涙（水滴）であり、キャラクタ画像の大きさは撮像画像よりも小さい。以下、図３（ａ）の撮像画像に、図３（ｂ）のキャラクタ画像を合成表示する場合を例にして説明を行う。
【００４１】
なお、図３（ｂ）のキャラクタ画像のキャラクタＩＤは「１」、キャラクタ名は「涙」としている。また、図２に示すように、キャラクタ設定情報の移動開始位置は「選択１：画面中央」、「選択２：画面右」、「選択３：画面左」、「選択４：画面上」、「選択５：画面下」、「選択６：ユーザ指定」などのパラメータを含み、移動方向は「選択１：下」、「選択２：右下」、「選択３：左下」などのパラメータを含み、移動量は「選択１：２０ドット」、「選択２：５０ドット」、「選択３：１００ドット」などのパラメータを含み、移動ステップ時間は「選択１：１秒」、「選択２：２秒」、「選択３：３秒」などのパラメータを含んでいるものとする。
【００４２】
操作部１８は、撮像画像及びキャラクタ画像の選択を受付けると共に、選択したキャラクタ画像に係るキャラクタ設定情報の各パラメータの選択を受付ける。操作部１８が合成表示の指示を受けた場合、ＣＰＵ１０は、フラッシュメモリ２０に予め記憶されている選択画面を表示部１４に表示し、選択を受付ける。図４は画像及びパラメータの選択方法の例を示す図である。図４（ａ）は選択画面の例を示す図であり、操作部１８への操作によって、カーソルＣを移動させ、カーソルＣが位置するパラメータの選択を受付ける。図４（ａ）の例では、移動開始位置の選択を受付けているが、他のパラメータ及び画像の選択の受付も同様に行うことが可能である。
【００４３】
図４（ｂ）は、図４（ａ）のユーザ指定に係るユーザ指定受付画面の例を示す図であり、操作部１８への操作によって、ポインタＰを移動させ、ポインタＰが位置するパラメータ（座標）の指定を受付ける。図４（ｂ）の例では、図４（ａ）の選択画面において「ユーザ指定」が選択された場合に、ＣＰＵ１０の制御によってフラッシュメモリ２０から読出して表示部１４に表示され、撮像画像上の任意の移動開始位置（ポインタＰの座標）の指定を受付けている。
【００４４】
選択結果は、ＣＰＵ１０の制御によって、選択情報としてＤＲＡＭ２２に記憶される。図５は選択情報の例を示す図である。図５の例では、キャラクタＩＤは「１（涙）」、移動開始位置は「６（ユーザ指定）」、移動方向は「１（下）」、移動量は「２（５０ドット）」、移動ステップ時間は「１（１秒）」が選択されている。なお、選択結果は、移動開始位置が「ユーザ指定」の場合の座標情報も含む。以下、図５の選択情報を例にして合成表示処理を説明する。
【００４５】
上述した選択が完了した場合、ＣＰＵ１０は、選択情報に基づいて、記憶装置２４から読出した図３（ａ）の撮像画像上に、フラッシュメモリ２０から読出した図３（ｂ）のキャラクタ画像を重ねた合成表示画像を作成する。ＣＰＵ１０は、まず、選択情報の移動開始位置にキャラクタ画像を配置した合成表示画像を作成する。図６（ａ）は移動開始位置にキャラクタ画像が配置された合成表示画像の例を示す図である。図６（ａ）の例では、撮像画像の人物の左目のすぐ下にキャラクタ画像（涙）が配置されている。作成した合成表示画像はＤＲＡＭ２２に記憶される。ＤＲＡＭ２２に記憶した合成表示画像は、表示部１４に表示する。また、記憶装置２４に記憶することも可能である。
【００４６】
図６（ａ）の合成表示画像を作成した後、選択情報の移動ステップ時間（１秒）が経過した場合、ＣＰＵ１０は、図６（ａ）の位置を基準に、キャラクタ画像を、選択情報の移動方向（下）へ選択情報の移動量（５０ドット）だけ移動させた合成表示画像を作成し、ＤＲＡＭ２２に記憶し、表示部１４に表示する。図６（ｂ）はキャラクタ画像を移動させた合成表示画像の例を示す図である。図６（ｂ）の例では、キャラクタ画像（涙）が下方向へ移動している。以下、同様に、キャラクタ画像を移動させた合成表示画像を作成し、表示部１４に表示する。ただし、キャラクタ画像が撮像画像の下端に達した場合は、移動開始位置（図６（ａ））にもどす。
【００４７】
上述した実施の形態において、ＣＰＵ１０は、キャラクタ画像を移動させたが、キャラクタ画像を点滅させることも可能である。キャラクタ画像を点滅させる場合、ＣＰＵ１０は、画像処理部１２を制御して、キャラクタ画像を重ねた撮像画像（合成表示画像）と重ねていない撮像画像とを交互に表示部１４に表示したり、２種類のキャラクタ画像を交互に重ねた撮像画像（合成表示画像）を表示部１４に表示することが可能である。
【００４８】
また、キャラクタ画像は、上述した水滴（涙）に限定はされず、任意のマーク画像を用いたり、撮像画像の一部又は撮像画像を縮小した画像を用いるなど、任意の画像を用いることが可能である。図７はキャラクタ画像の他の例を示す図であり、図７（ａ）はハートの画像であり、図７（ｂ）はゲンコツの画像である。図７（ａ）のハートの場合、キャラクタ設定情報の移動開始位置は涙と同様とし、移動方向は上（選択１）、右上（選択２）、左上（選択３）とし、移動量は２０ドット（選択１）、５０ドット（選択２）、１００ドット（選択３）とし、移動ステップ時間は３秒（選択１）、６秒（選択２）、１０秒（選択３）とすることが可能である。
【００４９】
また、図７（ｂ）のゲンコツの場合、キャラクタ設定情報の移動開始位置は涙と同様とし、移動方向は右（選択１）、左（選択２）、上（選択３）とし、移動量は２０ドット（選択１）、２００ドット（選択２）、５００ドット（選択３）とし、移動ステップ時間は０．５秒（選択１）、１秒（選択２）、１．５秒（選択３）とすることが可能である。このように、キャラクタ設定情報の各パラメータは任意の値に設定することが可能である。また、キャラクタ設定情報の各パラメータの変更を操作部１８で受付けてＣＰＵ１０で更新することも可能である。また、キャラクタ画像の変更を操作部１８で受付けてＣＰＵ１０で更新することも可能である。
【００５０】
また、表示部１６にタッチパネルを設け、タッチパネルでキャラクタ設定情報の各パラメータの指定を受付ける場合、予め設定されたパラメータの選択を受付けるのではなく、タッチパネル上の指の移動の軌跡を記憶し、記憶した軌跡と同じようにキャラクタ画像を移動させることも可能である。図８は指の移動の軌跡の例を示す図である。図８の例では、点Ｓで指がタッチパネルに触れ、点Ｅまでタッチパネルに触れながら指を移動させ、点Ｅで指をタッチパネルから離している。ＣＰＵ１０は、点Ｓの座標、点Ｅの座標、点Ｓから点Ｅの軌跡（通過点の座標）、移動の速さ（移動量、移動ステップ時間）をＤＲＡＭ２２の選択情報に記憶し、記憶した選択情報に基づいてキャラクタ画像を移動させる。この場合、撮像画像が表示されたタッチパネル上でキャラクタ画像の移動に関する入力を行えるため、ユーザの利便性が向上する。また、キャラクタ画像の移動の軌跡及び速度を柔軟に指定することが可能となる。
【図面の簡単な説明】
【００５１】
【図１】本発明に係る撮像装置の構成例を示すブロック図である。
【図２】キャラクタ設定情報の例を示す図である。
【図３】（ａ）は撮像画像の例を示す図であり、（ｂ）はキャラクタ画像の例を示す図である。
【図４】画像及びパラメータの選択方法の例を示す図である。
【図５】選択情報の例を示す図である。
【図６】（ａ）は移動開始位置にキャラクタ画像が配置された合成表示画像の例を示す図であり、（ｂ）はキャラクタ画像を移動させた合成表示画像の例を示す図である。
【図７】キャラクタ画像の他の例を示す図である。
【図８】指の移動の軌跡の例を示す図である。
【符号の説明】
【００５２】
１０  ＣＰＵ
１２  画像処理部
１４  表示部
１６  撮像部
１８  操作部
２０  フラッシュメモリ
２２  ＤＲＡＭ
２４  記憶装置
【図１】
2006173784.tif 000003
【図２】
2006173784.tif 000004
【図３】
2006173784.tif 000005
【図４】
2006173784.tif 000006
【図５】
2006173784.tif 000007
【図６】
2006173784.tif 000008
【図７】
2006173784.tif 000009
【図８】
2006173784.tif 000010